(57)【要約】【課題】カーブミラー反射鏡の外周縁部を保護する構造を提供する。【解決手段】  鏡面１及び鏡面の裏当てとなる背板２から構成され、背板の円形面の面積を鏡面の円形面の面積より大きくし、その外周縁を鏡面の円形面外周縁側に折り返して覆うようにプレスして固定する。背板の外周縁が鏡面の円形面の外周縁を包み込んで内側に巻き込むため、金属性の鏡面外周に触れて怪我をすることは無く、格別の鏡面外周縁部の保護手段を必要としない。【選択図】  図7
0003127806.tif 000002
【実用新案登録請求の範囲】
【請求項１】
鏡面とその裏当てとなる背板から構成し、
該鏡面は一体成型品であって、球形反射鏡面とその外周から延長した円周壁からなると共に、さらに該円周壁から延長した円形面を形成し、
該背板は同じく一体成形品であって、背板本体とその外周縁から延長した円周壁からなると共に、さらに該円周壁から延長した円形面を形成し、該背板背面は、ナットにより固定台を介して設置箇所に固定されるようにし、
上記背板の円周壁から延長した円形面を球形反射鏡面の円周壁から延長した円形面より大きくして、その外縁を球形反射鏡面の円周壁から延長した円形面の外縁を包み込むように内側に巻き込んでプレス成形することにより、該縁部を覆ったことを特徴とする反射鏡。
【請求項２】
該鏡面の円周壁の上方にフードを連結したことを特徴とする請求項1記載の反射鏡。
【請求項３】
該背板には塗装鋼板を使用したことを特徴とする請求項1記載の反射鏡。
【請求項４】
該背板は、ステンレス鋼板を使用したことを特徴とする請求項1記載の反射鏡。
【請求項５】
該背板は、亜鉛メッキ鋼板を使用したことを特徴とする請求項1記載の反射鏡。
【請求項６】
該鏡面は、ステンレス鋼板を使用したことを特徴とする請求項1記載の反射鏡。
【考案の詳細な説明】
【技術分野】
【０００１】
本考案は、反射鏡、いわゆるカーブミラーの新規な構造に関し、特に背板の円形面が鏡面の円形面とをプレスして固定する。背板の円形面は鏡面の円形面の円周を包み、且つ内側に巻くことで縁が丸くなるため、保護リングを付けなくとも安全性を向上する。構造が簡単且つ部品や人力、製造時間を節約できることを特徴とする反射鏡の新型構造に関する。
【背景技術】
【０００２】
従来技術のステンレス製反射鏡は、図1〜図3のとおり、室外の歩道や道路の曲がり角、或いは駐車場などに設置される。コンビニエンスストアや商店に設置した場合は、監視の機能も具有する。これらの反射鏡は、鏡面(5)、フード(7)(スーパー建屋内や屋内駐車場など室内に設置する場合は、フードを付加しない)、背板(6)、保護リング(8)によって組成している。
【０００３】
従来技術は保護リング(8)の材質がPVC或いは其の他のプラスティックを使用するため、長期間太陽にさらされる結果として、劣化して脱落してしまう。保護リング(8)が脱落すると、背板(6)と鏡面(5)の円形面(61)(51)の縁(611)(511)は鋭いため、歩行者が触れた時、怪我しやすく安全性に欠ける。
【０００４】
製品を組み立てる際、鏡面(5)は該円形面と背板(6)の円形面(61)を点溶接で固定してから保護リング(8)を嵌める。該保護リング(8)は、PVCの可撓性の材質により、嵌めこむ作業が大変面倒であり、人力及び製造時間が多くかかる。また、組立スタッフが鏡面或いは背板の鋭い円周によって傷つけられる危険性もある。以上の欠点を鑑みて、上述の技術を改善する必要があった。
【特許文献１】特開２００５−２９０６６７号公報
【考案の開示】
【考案が解決しようとする課題】
【０００５】
本考案の第1の目的は、背板の円形面の面積を鏡面の円形面面積より大きくし、背板の円形面と鏡面の円形面をプレスして成型し、固定した上で、背板の円形面が鏡面の円形面の円周を包み込み、内側に巻きつけることで縁が丸くなるため、PVCの保護リングを設置する必要がなく、歩行者を傷つけることもない。安全性及び部品節約の目的を具有する反射鏡の新型構造を提供することにある。
【０００６】
本考案の第2の目的は、簡単な構造を持ち、PVC保護リングを設置する必要がないため、部品コストを節約できるだけでなく、該保護リングを組み立てる際の人力及び製造時間を節約することもできる。また、PVCの保護リングを使用しないため環境保護に資する。
【課題を解決するための手段】
【０００７】
上述の目的を解決するために、本考案は反射鏡新型の構造を提供するものであり、背板の円形面を鏡面の円形面より大きくし、背板と鏡面を一体化してプレスした上で背板の縁を鏡面に内側に巻きつけることにより縁が丸くなる。
【考案の効果】
【０００８】
本考案は、背板の円形面を大きくして鏡面外周縁を覆って保護するため、PVCの保護リングを設置する必要がなく、歩行者を傷つけることもない。安全性及び部品コストを節約できるだけでなく、該保護リングを組み立てる際の人力及び製造時間を節約でき、間接的に環境保護にもつながる。
【考案を実施するための最良の形態】
【０００９】
図4から図7が示すのは、本考案の反射鏡の新規な構造である。鏡面(1)と背板(2)を含み、鏡面(1)は一体成型に係り、球形面(11)及び球形面(11)の円周より延伸する円周壁(12)を具有し、該円周壁(12)の円周より円形面(13)を延伸する。該鏡面(1)の円周壁(12)の上方はリベット締め或いは部分溶接の方法を用いて、フード(3)を固定する。反射鏡がコンビニエンスストアや駐車場など、室内にて使用する場合は、このフード(3)を固定する必要はない。前記の背板(2)は一体成型に係り、背板本体(21)及び背板本体(21)の円周より延伸する円周壁(22)を具有し、該円周壁(22)の円周より円形面(23)を延伸する。該背板(2)の背面はナット(25)(図6を参照)により台(図示せず)に固定する。更に、該台を室外の歩道や道路の曲がり角に設置された支柱(図示せず)に連結、或いは室内設置場所に固定する。
【００１０】
本考案の特徴は、該背板(2)の直径が鏡面(1)の直径より大きいため、該円形面(23)の面積は鏡面の円形面(13)の面積より大きく、背板(2)は該円形面(23)と鏡面(1)の円形面(13)を合わせてプレスして固定し、背板(2)の円形面(23)は鏡面(1)の円形面(13)の外縁(131)(図7を参照)を覆い、鏡面(1)の円形面(13)を内側に巻き(231)、外縁が円弧状(232)になる。ベストな組立固定効果を具有するほか、該外縁の円弧状(232)で歩行者に怪我を負わすことなく安全である。従来製品が用いる保護リングを設置する必要がないため、部品及び保護リングを組み立てる人力や製造時間等が節約できる。
【００１１】
前記背板(2)は塗装鋼板、ステンレス、亜鉛メッキなどの金属鋼板を使用し、油圧成型機でプレスする。
【００１２】
前記鏡面(1)はステンレスを使用し、油圧成型機でプレスする。
【００１３】
本考案の背板(2)の円形面(23)の面積は、鏡面(1)の円形面(13)の面積より大きいため、背板(2)は該円形面(23)を介し、鏡面(1)の円形面(13)とをプレスしてしっかりと固定する。背板(2)の円形面(23)は、鏡面(1)の円形面(13)の外縁(131)を包んで内側に巻き(231)、外縁が円弧状(232)を形成するため、安全性を考慮してPVC保護リングを設置する必要がなく、部品を節約する目的に達する。
【００１４】
前記PVC保護リングを設置する必要がないため、部品及び保護リングを組み立てる人力や製造時間のコストなどを節約するだけでなく、環境保護にもつながる。
【００１５】
構造が簡単であり、全体的な外観も美観性を具有する。
【００１６】
塗装鋼板を背板(1)に用いる場合、設置場所やニーズに基づき、異なる色を選択することが可能である。
【図面の簡単な説明】
【００１７】
【図１】公知のステンレス反射鏡の立体分解図である。
【図２】公知のステンレス反射鏡の保護リングをセットする前の分解図である。
【図３】公知のステンレス反射鏡の立体組立図である。
【図４】本考案実施例の立体分解図である。
【図５】本考案実施例の立体図である。
【図６】本考案実施例の背部立体図である。
【図７】本考案実施例の部分組立断面略図である。
【符号の説明】
【００１８】
1鏡面
11球形面
12、22  円周壁
13、23  円形面
131外縁
2背板
21背板本体
231内側に巻く
232円弧状
25ナット
3  フード
【図１】
0003127806.tif 000003
【図２】
0003127806.tif 000004
【図３】
0003127806.tif 000005
【図４】
0003127806.tif 000006
【図５】
0003127806.tif 000007
【図６】
0003127806.tif 000008
【図７】
0003127806.tif 000009